(57)【要約】    【課題】映像の撮像機能が不備とされる既存の当該システムへのカメラの追加を容易として、モニタに出画される映像の視認性を高める。    【解決手段】ナースコール親機４０に接続される外付け呼出対応モニタ５０の制御により、呼出元である被看護者、例えば、患者の映像を撮像するように、病室毎の複数の呼出対応カメラ３０ａ、３０ｂ、・・・のうち呼出元の病室に設置される当該カメラを選択して駆動させる、或いは、駆動してパン動作及び／又はチルト動作させ、このカメラにて撮像された映像を外付け呼出対応モニタに出画する。  【選択図】図１
2008079800.tif 000002
【特許請求の範囲】
【請求項１】
病院、老人福祉施設等の病室毎の各病床に設置され被看護者が看護者を呼び出すためのベッド子機（１ａ、２ａ、３ａ、・・・、１ｂ、２ｂ、３ｂ、・・・、・・・）及びベッドサイドに設置され前記ベッド子機に着脱自在で接続されるプレート子機（１１ａ、１２ａ、１３ａ、・・・、１１ｂ、１２ｂ、１３ｂ、・・・、・・・）と、前記病室毎に設置され前記被看護者の映像を撮像するための呼出対応カメラ（３０ａ、３０ｂ、・・・）と、ナースセンターに設置され前記ベッド子機からの呼び出しを確認した前記看護者が応答して通話を成立するためのナースコール親機（４０）とを設け、
前記ナースコール親機は、前記呼出対応カメラにて撮像された前記看護者の映像を出画するための外付け呼出対応モニタ（５０）が接続され、
前記外付け呼出対応モニタは、前記ベッド子機に対応した前記呼出対応カメラを選択するためのカメラ選択テーブルが記憶された記憶部（５００）と、前記記憶部から読み出される呼出元のベッド子機に対応した呼出対応カメラを駆動して前記被看護者の映像を前記外付け呼出対応モニタに出画するためのカメラ駆動回路（５０２）とを備えることを特徴とするナースコールシステム。
【請求項２】
病院、老人福祉施設等の病室毎の各病床に設置され被看護者が看護者を呼び出すためのベッド子機（１ａ、２ａ、３ａ、・・・、１ｂ、２ｂ、３ｂ、・・・、・・・）及びベッドサイドに設置され前記ベッド子機に着脱自在で接続されるプレート子機（１１ａ、１２ａ、１３ａ、・・・、１１ｂ、１２ｂ、１３ｂ、・・・、・・・）と、前記病室毎に設置され前記被看護者の映像を撮像するための呼出対応カメラ（３０ａ、３０ｂ、・・・）と、ナースセンターに設置され前記ベッド子機からの呼び出しを確認した前記看護者が応答して通話を成立するためのナースコール親機（４０）と、前記呼出対応カメラにて撮像された前記被看護者の映像を出画するための外付け呼出対応モニタ（５０）とを設け、
前記プレート子機は、呼出信号の出力を監視して前記ベッド子機からの呼び出しを検出するための呼出対応アダプタ（６０ａ、６０ｂ、・・・）が接続され、
前記呼出対応アダプタは、前記呼び出しの検出に応じて呼出元のベッド子機に対応した呼出対応カメラを駆動して前記被看護者の映像を前記外付け呼出対応モニタに出画するためのカメラ駆動回路（６０１）を備えることを特徴とするナースコールシステム。
【請求項３】
病院、老人福祉施設等の病室毎の各病床に設置され被看護者が看護者を呼び出すためのベッド子機（１ａ、２ａ、３ａ、・・・、１ｂ、２ｂ、３ｂ、・・・、・・・）及びベッドサイドに設置され前記ベッド子機に着脱自在に接続されるプレート子機（１１ａ、１２ａ、１３ａ、・・・、１１ｂ、１２ｂ、１３ｂ、・・・、・・・）と、前記病室毎に設置され前記被看護者の映像を撮像するための呼出対応カメラ（３０ａ、３０ｂ、・・・）と、ナースセンターに設置され前記ベッド子機からの呼び出しを確認した前記看護者が応答して通話を成立するためのナースコール親機（４０）と、前記呼出対応カメラにて撮像された前記被看護者の映像を出画するための外付け呼出対応モニタ（５０）とを設け、
前記廊下灯は、前記ベッド子機からの呼び出しを検出し、呼出元のベッド子機に対応した呼出対応カメラを駆動して前記被看護者の映像を前記外付け呼出対応モニタに出画するためのカメラ駆動回路（２０１）を備えることを特徴とするナースコールシステム。
【請求項４】
前記呼出元のベッド子機に対応した呼出対応カメラをパン動作及び／又はチルト動作させるための角度情報が記憶された記憶部（５０１、６００、２００）を備えることを特徴とする請求項１乃至請求項３のうち何れか１項記載のナースコールシステム。
【発明の詳細な説明】
【技術分野】
【０００１】
本発明は、病院、老人福祉施設等に設置されるナースコールシステムに係り、特に、映像の撮像機能が不備とされる既存の当該システムにカメラを追加した場合において、カメラの駆動制御機能及びカメラにて撮像される映像の出画制御機能を備えたナースコールシステムに関する。
【背景技術】
【０００２】
従来から、この種のナースコールシステムとして、病棟内において看護婦（看護師と同意。）が患者の容体を通話と映像で確認するために使用するナースコールインターホン装置が開示されている（例えば、特許文献１を参照。）。このナースコールインターホン装置によれば、ナースセンター内のナースコール親機から病室内の子機を選局するといった簡単な操作だけで、病室内の患者との通話は勿論のこと、同時に通話相手の映像を確認できるといった効果が得られる。
【０００３】
また、特許文献１のナースコールインターホン装置とは異なる別途のナースコールシステムとして、ナースセンター内に在室中の看護師が遂行する看護業務の作業効率が高められたナースコールシステムが開示されている（例えば、特許文献２を参照。）。このナースコールシステムによれば、病室内の病床毎の患者の様子を聴取中であること、聴取対象であること等の状態を視覚的に報知させるとともに、呼出中または通話中の要因により聴取ができずスキップ中の場合には、その旨を聴覚的および視覚的に報知してナースセンター内に在室中の看護師に容易に確認させるばかりでなく、通話または緊急通話の成立のために必要とされる操作を簡単な当該操作で可能となる。
【０００４】
【特許文献１】特開平１１−３６８号公報（段落番号「００１９」、「００２２」、「００２４」、「００２５」、第１図、第２図）
【特許文献２】特開平２００６−１２９２２８号公報（段落番号「００１０」、「００３４」乃至「００３８」等、第１図）
【発明の開示】
【発明が解決しようとする課題】
【０００５】
背景技術に記載した特許文献１のナースコールインターホン装置において、実際に患者が看護婦を呼び出した場合、呼出元である患者の映像を監視カメラにて撮像するためには、ナースコール親機での呼出報知を確認した看護師が選局操作を行わなければならず、患者の容体を速やかに確認することができない虞があった。また、ナースコール親機により出画制御されるモニタテレビが当該ナースコール親機と一体に設けられるような態様、或いはナースコール親機とモニタテレビとが別体に設けられるような態様の何れの態様であっても、モニタテレビの画面には大きさの制約があるため、呼出元である患者の映像の他に当該患者の情報、例えば、入院履歴、看護記録等の看護情報を同時に表示することは困難であった。
【０００６】
また、背景技術に記載した特許文献２のナースコールシステムのように、映像の撮像機能が不備とされる既存の当該システムに、特許文献１のナースコールインターホン装置に設けられたカメラを追加するにあたっては、追加するカメラ以外の各種の機器全てを一式として更新せねばならず、大幅なコストが発生してその追加は困難であった。
【０００７】
本発明は、この難点を解消するためになされたもので、子機からの呼出時において呼出元の子機に対応したカメラを自動的に選択して駆動させ、選択されたカメラにて撮像される映像を親機と別体で設けられるモニタに出画することにより、映像の撮像機能が不備とされる既存の当該システムへのカメラの追加を容易として、モニタに出画される映像の視認性を高めたナースコールシステムを提供することを目的としている。
【課題を解決するための手段】
【０００８】
前述の目的を達成するため、本発明の第１の態様であるナースコールシステムは、病院、老人福祉施設等の病室毎の各病床に設置され被看護者が看護者を呼び出すためのベッド子機及びベッドサイドに設置されベッド子機に着脱自在で接続されるプレート子機と、病室毎に設置され被看護者の映像を撮像するための呼出対応カメラと、ナースセンターに設置されベッド子機からの呼び出しを確認した看護者が応答して通話を成立するためのナースコール親機とを設けたものである。ナースコール親機は、呼出対応カメラにて撮像された被看護者の映像を出画するための外付け呼出対応モニタが接続されている。外付け呼出対応モニタは、ベッド子機に対応した呼出対応カメラを選択するためのカメラ選択テーブルが記憶された記憶部と、記憶部から読み出される呼出元のベッド子機に対応した呼出対応カメラを駆動して被看護者の映像を外付け呼出対応モニタに出画するためのカメラ駆動回路とを備えている。
【０００９】
また、本発明の第２の態様であるナースコールシステムは、病院、老人福祉施設等の病室毎の各病床に設置され被看護者が看護者を呼び出すためのベッド子機及びベッドサイドに設置されベッド子機に着脱自在で接続されるプレート子機と、病室毎に設置され被看護者の映像を撮像するための呼出対応カメラと、ナースセンターに設置されベッド子機からの呼び出しを確認した看護者が応答して通話を成立するためのナースコール親機と、呼出対応カメラにて撮像された被看護者の映像を出画するための外付け呼出対応モニタとを設けたものである。プレート子機は、呼出信号の出力を監視してベッド子機からの呼び出しを検出するための呼出対応アダプタが接続されている。呼出対応アダプタは、呼び出しの検出に応じて呼出元のベッド子機に対応した呼出対応カメラを駆動して被看護者の映像を外付け呼出対応モニタに出画するためのカメラ駆動回路を備えている。
【００１０】
また、本発明の第３の態様であるナースコールシステムは、病院、老人福祉施設等の病室毎の各病床に設置され被看護者が看護者を呼び出すためのベッド子機及びベッドサイドに設置されベッド子機に着脱自在で接続されるプレート子機と、病室毎に設置され被看護者の映像を撮像するための呼出対応カメラと、ナースセンターに設置されベッド子機からの呼び出しを確認した看護者が応答して通話を成立するためのナースコール親機と、呼出対応カメラにて撮像された被看護者の映像を出画するための外付け呼出対応モニタとを設けたものである。廊下灯は、ベッド子機からの呼び出しを検出し、呼出元のベッド子機に対応した呼出対応カメラを駆動して被看護者の映像を外付け呼出対応モニタに出画するためのカメラ駆動回路を備えている。
【００１１】
また、本発明の第４の態様であるナースコールシステムは、本発明の第１の態様乃至第３の態様において、呼出元のベッド子機に対応した呼出対応カメラをパン動作及び／又はチルト動作させるための角度情報が記憶された記憶部を備えている。
【発明の効果】
【００１２】
本発明のナースコールシステムによれば、映像の撮像機能が不備とされる既存の当該システムへのカメラの追加が容易となり、ナースコール親機に接続される外付け呼出対応モニタの制御、プレート子機からの呼出信号の出力を監視する呼出対応アダプタの制御、及びベッド子機からの呼び出しを報知する廊下灯の制御のうち何れかの制御により、呼出元である被看護者、例えば、患者の映像を撮像するように、病室毎の複数の呼出対応カメラのうち呼出元の病室に設置される当該カメラを選択して駆動させる、或いは、駆動してパン動作及び／又はチルト動作させ、このカメラにて撮像された映像を外付け呼出対応モニタに出画することができる。これにより、ナースセンターに在室中の看護師は、患者からの呼び出しがあることを、ナースコール親機での呼出報知のみならず外付け呼出対応モニタに出画される映像をもとに当該患者の容体と併せて詳細に確認することができ、映像の視認性が高められる。
【発明を実施するための最良の形態】
【００１３】
以下、本発明のナースコールシステムを適用した最良の実施の形態例について、図面を参照して説明する。
【００１４】
図１は、本発明の第１の実施例によるナースコールシステムの構成を示すシステム説明図である。このナースコールシステムは、病院、老人福祉施設等に設置されるものであり、ベッド子機１ａ、２ａ、３ａ、・・・、１ｂ、２ｂ、３ｂ、・・・、・・・と、プレート子機１１ａ、１２ａ、１３ａ、・・・、１１ｂ、１２ｂ、１３ｂ、・・・、・・・と、廊下灯２０ａ、２０ｂ、・・・と、呼出対応カメラ３０ａ、３０ｂ、・・・と、ナースコール親機４０と、外付け呼出対応モニタ５０とが設けられている。また、廊下灯２０ａ、２０ｂ、・・・には、各子機／廊下灯ラインＬ1a、Ｌ1b、・・・を経由してプレート子機１１ａ、１２ａ、１３ａ、・・・、１１ｂ、１２ｂ、１３ｂ、・・・、・・・がそれぞれ渡り配線接続されている。また、ナースコール親機４０には、廊下灯／親機ラインＬ2を経由して廊下灯２０ａ、２０ｂ、・・・がそれぞれ渡り配線接続されているとともに、親機／モニタラインＬ3を経由して外付け呼出対応モニタ５０が接続されている。さらに、外付け呼出対応モニタ５０には、カメラ／モニタラインＬ4を経由して呼出対応カメラ３０ａ、３０ｂ、・・・がそれぞれバス接続されている。
【００１５】
なお、プレート子機１１ａ、１２ａ、１３ａ、・・・、１１ｂ、１２ｂ、１３ｂ、・・・、・・・及び廊下灯２０ａ、２０ｂ、・・・の間の接続は、各子機／廊下灯ラインＬ1a、Ｌ1b、・・・を経由した渡り配線接続の態様に限定されるものではなく、各子機／廊下灯ラインＬ1a、Ｌ1b、・・・を経由してスター接続することもできる。また、廊下灯２０ａ、２０ｂ、・・・及びナースコール親機４０の間の接続は、廊下灯／親機ラインＬ2を経由した渡り配線接続の態様に限定されるものではなく、廊下灯／親機ラインＬ2を経由してバス接続することもできる。さらに、呼出対応カメラ３０ａ、３０ｂ、・・・及び外付け呼出対応モニタ５０の間の接続は、カメラ／モニタラインＬ4を経由したバス接続の態様に限定されるものではなく、カメラ／モニタラインＬ4を経由して渡り配線接続することもできる。
【００１６】
ベッド子機１ａ、２ａ、３ａ、・・・、１ｂ、２ｂ、３ｂ、・・・、・・・はそれぞれ同様な構成であり、「Ａ号室」、「Ｂ号室」、・・・のような病室等の各病床に設置され、被看護者である例えば、患者が、看護者である例えば、ナースコール親機４０が設置されるナースセンターに在室中の看護師に対して、通常のナースコール呼び出し、トイレ介助を求めるトイレ呼び出し、点滴の終了を知らせる確認呼び出し等、呼出種別毎で異なる呼出操作を行うためのものである。なお、ベッド子機１ａ、２ａ、３ａ、・・・、１ｂ、２ｂ、３ｂ、・・・、・・・について病室毎で設置可能な台数は、通常、６台までとされる。
【００１７】
プレート子機１１ａ、１２ａ、１３ａ、・・・、１１ｂ、１２ｂ、１３ｂ、・・・、・・・は、それぞれ同様な構成で個別の子機番号、例えば、「０００１、０００２、０００３、・・・、０００７、０００８、０００９、・・・、・・・」を有している。また、プレート子機１１ａ、１２ａ、１３ａ、・・・、１１ｂ、１２ｂ、１３ｂ、・・・、・・・は、「Ａ号室」、「Ｂ号室」、・・・のような病室等の各病床の所定の位置である例えば、ベッドサイドに設置され、自プレート子機に着脱自在で接続可能なベッド子機１ａ、２ａ、３ａ、・・・、１ｂ、２ｂ、３ｂ、・・・、・・・からの呼び出しを呼出種別毎に検出し、所定のフォーマットの呼出信号を生成するとともに、患者が看護師との間で通話を成立させるための通話機能（詳述せず。）を有している。なお、プレート子機１１ａ、１２ａ、１３ａ、・・・、１１ｂ、１２ｂ、１３ｂ、・・・、・・・について病室毎で設置可能な台数は、前述のベッド子機１ａ、２ａ、３ａ、・・・、１ｂ、２ｂ、３ｂ、・・・、・・・の台数と同様、通常、６台までとされる。
【００１８】
廊下灯２０ａ、２０ｂ、・・・は、それぞれ同様な構成で個別の廊下灯番号、例えば、「「１００１、１００２、・・・」を有している。また、廊下灯２０ａ、２０ｂ、・・・は、「Ａ号室」、「Ｂ号室」、・・・のような病室等の廊下（廊下先）に設置され、プレート子機１１ａ、１２ａ、１３ａ、・・・、１１ｂ、１２ｂ、１３ａ、・・・、・・・にて生成される呼出信号をもとにベッド子機１ａ、２ａ、３ａ、・・・、１ｂ、２ｂ、３ｂ、・・・、・・・を使用して呼出操作を行った患者からの呼び出しを呼出種別毎に検出し、その旨の報知を行うための呼出報知機能（詳述せず。）を有している。
【００１９】
呼出対応カメラ３０ａ、３０ｂ、・・・は、それぞれ同様な構成で個別のカメラ番号、例えば、「２００１、２００２、・・・」を有している。また、呼出対応カメラ３０ａ、３０ｂ、・・・は、「Ａ号室」、「Ｂ号室」、・・・のような病室等に設置され、ベッド子機１ａ、２ａ、３ａ、・・・、１ｂ、２ｂ、３ｂ、・・・、・・・を使用して呼出種別毎で異なる呼出操作を行った患者の映像を撮像し、当該ベッド子機が設置されるベッドサイドの方向に対応したパン角及び／又はチルト角で駆動するものである。ここで、パン角とは、呼出対応カメラ３０ａ、３０ｂ、・・・の駆動の態様として、同一の平面である水平面上を水平方向に駆動する際の回転角であり、チルト角とは、呼出対応カメラ３０ａ、３０ｂ、・・・の駆動の態様として、水平面と直交する鉛直方向の下向きに駆動する際の仰角である。なお、呼出対応カメラ３０ａ、３０ｂ、・・・としては、例えば、ＣＣＤ、ＣＭＯＳ等の各種の撮像媒体が好適とされる。
【００２０】
ナースコール親機４０は、ナースセンターに設置され、プレート子機１１ａ、１２ａ、１３ａ、・・・、１１ｂ、１２ｂ、１３ｂ、・・・、・・・にて生成される呼出信号をもとにベッド子機１ａ、２ａ、３ｂ、・・・、１ｂ、２ｂ、３ｂ、・・・、・・・を使用して呼出操作を行った患者からの呼び出しを呼出種別毎に検出し、その旨の報知を行うための呼出報知機能（詳述せず。）と、この呼出報知を確認した看護師が応答して患者との間で通話を成立させるための通話機能（詳述せず。）とを有している。また、ナースコール親機４０は、親機／モニタラインＬ3を経由して外付け呼出対応モニタ５０を接続するための外部接続端子４００が設けられており、接続された呼出対応モニタ５０を出画状態に制御するための駆動制御機能を有している。
【００２１】
外付け呼出対応モニタ５０は、ナースセンターにナースコール親機４０と別体で設置され、２つの記憶部（以下、第１、第２の記憶部という。）５００、５０１及びカメラ駆動回路５０２が備えられている。ここで、第１の記憶部５００とは、呼出元のベッド子機１ａ、２ａ、３ａ、・・・、１ｂ、２ｂ、３ｂ、・・・、・・・に対応した呼出対応カメラ３０ａ、３０ｂ、・・・を選択するためのカメラ選択テーブルが記憶されるものである。また、第２の記憶部５０１とは、第１の記憶部５００から読み出される呼出元のベッド子機１ａ、２ａ、３ａ、・・・、１ｂ、２ｂ、３ｂ、・・・、・・・に対応した呼出対応カメラ３０ａ、３０ｂ、・・・をパン動作及び／又はチルト動作させるための角度情報、ここでは、パン動作及びチルト動作させるための角度情報のテーブル（以下、角度情報テーブルという。）が記憶されるものである。さらに、カメラ駆動回路５０２とは、第１の記憶部５００から読み出される呼出元のベッド子機１ａ、２ａ、３ａ、・・・、１ｂ、２ｂ、３ｂ、・・・、・・・に対応した呼出対応カメラ３０ａ、３０ｂ、・・・を駆動し、第２の記憶部５０１から読み出される角度情報に応じてパン動作及びチルト動作させ、呼出元である患者の映像を当該外付け呼出対応モニタに出画するためのものである。なお、外付け呼出対応モニタ５０としては、例えば、ＬＣＤ、有機ＥＬディスプレイ等の各種の表示媒体が好適とされ、第１、第２の各記億部５００、５０１としては、例えば、ＲＡＭ、ＥＥＰＲＯＭ等の各種の記憶媒体が好適とされる。
【００２２】
このように構成された本発明の第１の実施例によるナースコールシステムにおいて、以下、具体的な動作について、図１及び図４（ａ）、（ｂ）をそれぞれ参照して説明する。なお、図４（ａ）は、外付け呼出対応モニタ５０の第１の記憶部５００に記憶されるカメラ選択テーブルの一例を示すテーブル構成図である。また、図４（ｂ）は、外付け呼出対応モニタ５０の第２の記憶部５０１に記憶される角度情報テーブルの一例を示すテーブル構成図である。
【００２３】
図１に示すように、「Ａ号室」、「Ｂ号室」、・・・のような病室等の各病床に設置されるベッド子機１ａ、２ａ、３ａ、・・・、１ｂ、２ｂ、３ｂ、・・・、・・・のうち、ここでは、「Ａ号室」のベッド子機１ａが病床に設置されている患者が、ナースコール親機３０が設置されているナースセンターに在室中の看護師を呼び出して通話を成立させるために、ベッド子機１ａを使用して呼出種別毎で異なる呼出操作、例えば、通常のナースコール呼び出しのための所定の呼出操作を行うと、この操作を検出したプレート子機１１ａは、自プレート子機が有する子機番号「０００１」及び通常のナースコール呼び出しを示す呼出種別情報を付与した呼出信号Ｓ1を生成する。この呼出信号Ｓ1は、子機／廊下灯ラインＬ1aを経由して廊下灯２０ａと「Ａ号室」の他のプレート子機１２ａ、１３ａ、・・・とにそれぞれ伝送される。なお、プレート子機１１ａを除く「Ａ号室」の他のプレート子機１２ａ、１３ａ、・・・はそれぞれ、伝送されてきた呼出信号Ｓ1が廊下灯２０ａからの信号でないため、通常、この呼出信号Ｓ1が無効な信号であると判断する。
【００２４】
廊下灯２０ａは、子機／廊下灯ラインＬ1aを経由して伝送されてきた呼出信号Ｓ1に付与されている子機番号「０００１」及び呼出種別情報をもとに、プレート子機１１ａに着脱自在で接続されたベッド子機１ａが病床に設置されている患者からの通常のナースコール呼び出しがあることを検出し、その旨の呼出報知を行うともに、呼出信号Ｓ1に自廊下灯が有する廊下灯番号「１００１」を付与した呼出信号Ｓ2を生成する。この呼出信号Ｓ2は、廊下灯／親機ラインＬ2を経由してナースコール親機４０と他の廊下灯２０ｂ、・・・とにそれぞれ伝送される。なお、廊下灯２０ａを除く他の廊下灯２０ｂ、・・・はそれぞれ、伝送されてきた呼出信号Ｓ2がナースコール親機４０からの信号でないため、通常、この呼出信号Ｓ2が無効な信号であると判断する。
【００２５】
ナースコール親機４０は、廊下灯／親機ラインＬ2を経由して伝送されてきた呼出信号Ｓ2に付与されている子機番号「０００１」、廊下灯番号「１００１」及び呼出種別情報をもとに、「Ａ号室」のプレート子機１１ａに着脱自在で接続されたベッド子機１ａが病床に設置されている患者からの通常のナースコール呼び出しがあることを検出し、その旨の呼出報知を行うともに、外付け呼出対応モニタ５０を駆動制御して出画状態とするための当該制御信号として、呼出信号Ｓ2に付与されている子機番号「０００１」を付与した制御信号Ｓ3を生成する。この制御信号Ｓ3は、外部接続端子４００から親機／モニタラインＬ3を経由して外付け呼出対応モニタ５０に伝送される。
【００２６】
外付け呼出対応モニタ５０は、親機／モニタラインＬ3を経由して伝送されてきた制御信号Ｓ3を受信すると出画状態になる。また、外付け呼出対応モニタ５０は、第１の記憶部５００に記憶されている図４（ａ）に示すカメラ選択テーブルを参照して、制御信号Ｓ3に付与されている子機番号「０００１」に対応して割り当てられたカメラ番号、すなわち、呼出元のベッド子機１ａに対応した呼出対応カメラ３０ａが有するカメラ番号「２００１」を読み出す。
【００２７】
また、外付け呼出対応モニタ５０は、第２の記憶部５０１に記憶されている図４（ｂ）に示す角度情報テーブルを参照して、第１の記憶部５００から読み出されたカメラ番号「２００１」に対応して割り当てられている角度情報、すなわち、選択された呼出対応カメラ３０ａをパン動作及びチルト動作させるための角度情報を読み出す。
【００２８】
さらに、外付け呼出対応モニタ５０のカメラ駆動回路５０２は、第１、第２の各記憶部５００、５０１からそれぞれ読み出されたカメラ番号「２００１」及び角度情報を付与したカメラ駆動信号Ｓ4を生成する。このカメラ駆動信号Ｓ4は、カメラ／モニタラインＬ4を経由して全ての呼出対応カメラ３０ａ、３０ｂ、・・・にそれぞれ伝送される。
【００２９】
全ての呼出対応カメラ３０ａ、３０ｂ、・・・はそれぞれ、カメラ／モニタラインＬ4を経由して伝送されてきたカメラ駆動信号Ｓ4に付与されているカメラ番号「２００１」と自カメラが有するカメラ番号とを照合して一致した場合のみ駆動して、同様に付与されている角度情報に対応した角度でパン動作及びチルト動作する。ここでは、「Ａ号室」に設置される呼出対応カメラ３０ａのみ当該カメラ番号が「２００１」で一致して駆動され、角度情報に対応した角度でパン動作及びチルト動作することにより、呼出元のベッド子機１ａが病床に設置されている患者の映像を撮像することができる。この呼出対応カメラ３０ａにて撮像された映像は、自カメラが有するカメラ番号「２００１」を付与した映像信号Ｓ5に信号処理された後、カメラ／モニタラインＬ4を経由して外付け呼出対応モニタ５０と他の呼出対応カメラ３０ｂ、・・・とにそれぞれ伝送される。なお、呼出対応カメラ３０ａを除く他の呼出対応カメラ３０ｂ、・・・はそれぞれ、伝送されてきた映像信号Ｓ5が外付け呼出対応モニタ５０からの信号でないため、通常、この映像信号Ｓ5が無効な信号であると判断する。
【００３０】
外付け呼出対応モニタ５０は、カメラ／モニタラインＬ4を経由して伝送されてきた映像信号Ｓ5に付与されているカメラ番号「２００１」をもとに、映像の撮像元が呼出対応カメラ３０ａであることを検出し、この呼出対応カメラ３０ａにて撮像された映像、すなわち、呼出元のベッド子機１ａが病床に設置されている患者の映像を出画することができる。
【００３１】
また、ナースコール親機４０にて行われた呼出報知及び外付け呼出対応モニタ５０に出画されている映像をもとに、通常のナースコール呼び出しがあることを、呼出元の患者の容体とともに詳細に確認したナースセンターに在室中の看護師が所定の応答操作を行うと、このナースコール親機４０の通話機能と、廊下灯／親機ラインＬ2、廊下灯２０ａ、子機／廊下灯ラインＬ1aを経由してプレート子機１１ａの通話機能との間の通話路が形成され、形成された通話路を経由して音声信号を送受信させることで通話が成立し、看護師にとっては患者の容体を確認しながらの通話が可能となる。
【００３２】
前述までの説明から明らかなように、本発明の第１の実施例によれば、ナースコール親機４０に接続される外付け呼出対応モニタ５０の制御により、呼出元である被看護者、例えば、患者の映像を撮像するように、病室毎の複数の呼出対応カメラ３０ａ、３０ｂ、・・・のうち呼出元の病室に設置される当該カメラを選択してパン動作及びチルト動作させ、このカメラにて撮像された映像を外付け呼出対応モニタ５０に出画することができる。これにより、ナースセンターに在室中の看護師は、患者からの呼び出しがあることを、ナースコール親機４０での呼出報知のみならず外付け呼出対応モニタ５０に出画される映像をもとに当該患者の容体と併せて詳細に確認することができ、映像の視認性も高められる。また、既存の当該システムに映像の撮像機能が不備であった場合でも、呼出対応カメラ３０ａ、３０ｂ、・・・の追加が容易である。
【００３３】
また、本発明の第１の実施例によれば、呼出元である患者の映像を撮像するにあたって、病室毎の複数の呼出対応カメラ３０ａ、３０ｂ、・・・のうち呼出元の病室に設置される当該カメラを選択してパン動作及びチルト動作させたが、この動作に限定されるものではない。例えば、外付け呼出対応モニタ５０の第２の記憶部５０１に記憶される角度情報テーブルとして、パン角及びチルト角のうち何れか一方の角度情報が記憶されている場合には、呼出元の病室に設置される当該カメラを選択してパン動作又はチルト動作させることができる。
【００３４】
さらに、本発明の第１の実施例によれば、呼出元である患者の映像を撮像するにあたって、病室毎の複数の呼出対応カメラ３０ａ、３０ｂ、・・・のうち呼出元の病室に設置される当該カメラを選択してパン動作及び／又はチルト動作させるように、外付け呼出対応モニタ５０に第１、第２の各記憶部５００、５０１及びカメラ駆動回路５０２を備える態様について説明したが、この態様に限定されるものではない。例えば、外付け呼出対応モニタ５０に第１の記憶部５００、カメラ駆動回路５０２を備え第２の記憶部５０１を不要とする態様によれば、呼出元の病室に設置される当該カメラを選択して駆動するのみでパン動作及び／又はチルト動作せずに、呼出元である患者の映像を撮像することもできる。
【００３５】
次に、本発明の第２の実施例によるナースコールシステムについて、図面を参照して説明する。図２は、本発明の第２の実施例によるナースコールシステムの構成を示すシステム説明図である。なお、本発明の第２の実施例によるナースコールシステムの構成を説明するにあたり、前述の第１の実施例にて適用された各種の機器のうち、同一の機能を有する機器については同一の符号を付与して説明は省略するものとし、同一の接続についても同一の符号を付与して説明は省略するものとする。
【００３６】
図２に示すナースコールシステムは、病院、老人福祉施設等に設置されるものであり、ベッド子機１ａ、２ａ、３ａ、・・・、１ｂ、２ｂ、３ｂ、・・・、・・・と、プレート子機１１ａ、１２ａ、１３ａ、・・・、１１ｂ、１２ｂ、１３ｂ、・・・、・・・と、廊下灯２０ａ、２０ｂ、・・・と、呼出対応カメラ３０ａ、３０ｂ、・・・と、ナースコール親機４０と、外付け呼出対応モニタ５０と、呼出対応アダプタ６０ａ、６０ｂ、・・・とが設けられている。また、呼出対応アダプタ６０ａ、６０ｂ、・・・には、各子機／アダプタラインＬ5a、Ｌ5b、・・・を経由してプレート子機１１ａ、１２a、１３a、・・・、１１ｂ、１２ｂ、１３ｂ、・・・、・・・がそれぞれ渡り配線接続されているとともに、各アダプタ／廊下灯ラインＬ6a、Ｌ6b、・・・を経由して廊下灯２０ａ、２０ｂ、・・・がそれぞれ接続されており、さらには、各アダプタ／カメララインＬ7a、Ｌ7b、・・・を経由して呼出対応カメラ３０ａ、３０ｂ、・・・がそれぞれ接続されている。
【００３７】
なお、プレート子機１１ａ、１２ａ、１３ａ、・・・、１１ｂ、１２ｂ、１３ｂ、・・・、・・・及び呼出対応アダプタ６０ａ、６０ｂ、・・・の間の接続は、各子機／アダプタラインＬ5a、Ｌ5b、・・・を経由した渡り配線接続の態様に限定されるものではなく、各子機／アダプタラインＬ5a、Ｌ5b、・・・を経由してスター接続することもできる。
【００３８】
呼出対応アダプタ６０ａ、６０ｂ、・・・はそれぞれ同様な構成であり、「Ａ号室」、「Ｂ号室」、・・・のような病室等に設置され、プレート子機１１a、１２ａ、１３ａ、・・・、１１ｂ、１２ｂ、１３ｂ、・・・、・・・から各子機／アダプタラインＬ5a、Ｌ5b、・・・に伝送される呼出信号の出力（の有無）を監視し、ベッド子機１ａ、２ａ、３ａ、・・・、１ｂ、２ｂ、３ｂ、・・・、・・・からの呼び出しを呼出種別毎に検出するためのものであり、記憶部６００及びカメラ駆動回路６０１が備えられている。ここで、記憶部６００とは、呼出元のベッド子機１ａ、２ａ、３ａ、・・・、１ｂ、２ｂ、３ｂ、・・・、・・・に対応した自病室の呼出対応カメラ３０ａ、３０ｂ、・・・を選択し、パン動作及び／又はチルト動作させるための角度情報、ここでは、パン動作及びチルト動作させるための角度情報テーブルが記憶されるものである。また、カメラ駆動回路６０１とは、記憶部６００から読み出される呼出元のベッド子機１ａ、２ａ、３ａ、・・・、１ｂ、２ｂ、３ｂ、・・・、・・・に対応した自病室の呼出対応カメラ３０ａ、３０ｂ、・・・を駆動し、角度情報に応じてパン動作及びチルト動作させ、呼出元である患者の映像を外付け呼出対応モニタ５０に出画するためのものである。なお、記億部６００としては、例えば、ＲＡＭ、ＥＥＰＲＯＭ等の各種の記憶媒体が好適とされる。
【００３９】
また、本発明の第２の実施例において、ナースコール親機４０は、前述の第１の実施例にて適用された外部接続端子４００は不備とすることができる。また、外付け呼出対応モニタ５０についても、前述の第１の実施例にて適用された第１、第２の各記憶部５００、５０１及びカメラ駆動回路５０２はそれぞれ不備とすることができる。
【００４０】
このように構成された本発明の第２の実施例によるナースコールシステムにおいて、以下、具体的な動作について、図２及び図４（ｂ）をそれぞれ参照して説明する。なお、図４（ｂ）は、呼出対応アダプタ６０ａ、６０ｂ、・・・の記憶部６００にそれぞれ記憶される角度情報テーブルの一例を示すテーブル構成図である。
【００４１】
図２に示すように、「Ａ号室」、「Ｂ号室」、・・・のような病室等の各病床に設置されるベッド子機１ａ、２ａ、３ａ、・・・、１ｂ、２ｂ、３ｂ、・・・、・・・のうち、ここでは、前述の第１の実施例と同様、「Ａ号室」のベッド子機１ａが病床に設置されている患者が、ナースコール親機４０が設置されているナースセンターに在室中の看護師を呼び出して通話を成立させるために、ベッド子機１ａを使用して呼出種別毎で異なる呼出操作、例えば、通常のナースコール呼び出しのための所定の呼出操作を行うと、この操作を検出したプレート子機１１ａは、自プレート子機が有する子機番号「０００１」及び通常のナースコール呼び出しを示す呼出種別情報を付与した呼出信号Ｓ1を生成する。この呼出信号Ｓ1は、子機／アダプタラインＬ5aを経由して呼出対応アダプタ６０ａと「Ａ号室」の他のプレート子機１２ａ、１３ａ、・・・とにそれぞれ伝送される。なお、プレート子機１１ａを除く「Ａ号室」の他のプレート子機１２ａ、１３ａ、・・・はそれぞれ、伝送されてきた呼出信号Ｓ1が呼出対応アダプタ６０ａを経由した廊下灯２０ａからの信号でないため、通常、この呼出信号Ｓ1が無効な信号であると判断する。
【００４２】
呼出対応アダプタ６０ａは、子機／アダプタラインＬ5aを伝送される呼出信号の有無を監視しており、受信した呼出信号Ｓ1に付与されている子機番号「０００１」及び呼出種別情報をもとに、プレート子機１１ａに着脱自在で接続されたベッド子機１ａが病床に設置されている患者からの通常のナースコール呼び出しがあることを検出するとともに、この呼出信号Ｓ1を、廊下灯／アダプタラインＬ6aを経由して廊下灯２０ａに送出する。
【００４３】
また、呼出対応アダプタ６０ａは、記憶部６００に記憶されている図４（ｂ）に示す角度情報テーブルを参照して、呼出信号Ｓ1に付与された子機番号「０００１」に対応して割り当てられているカメラ番号「２００１」を検出し、このカメラ番号「２００１」に対応して割り当てられている角度情報、すなわち、選択された呼出対応カメラ３０ａをパン動作及びチルト動作させるための角度情報を読み出す。
【００４４】
さらに、呼出対応アダプタ６０ａのカメラ駆動回路６０１は、記憶部６００から読み出された角度情報を付与したカメラ駆動信号Ｓ6を生成する。このカメラ駆動信号Ｓ6は、カメラ／アダプタラインＬ7aを経由して呼出対応カメラ３０ａに伝送される。
【００４５】
呼出対応カメラ３０ａは、カメラ／アダプタラインＬ7aを経由して伝送されてきたカメラ駆動信号Ｓ6を検出すると駆動し、このカメラ駆動信号Ｓ6に付与されている角度情報に対応した角度でパン動作及びチルト動作することにより、呼出元であるベッド子機１ａが病床に設置されている患者の映像を撮像することができる。また、呼出対応カメラ３０ａにて撮像された映像は、前述の第１の実施例と同様、自カメラが有するカメラ番号「２００１」を付与した映像信号Ｓ5に信号処理された後、カメラ／モニタラインＬ4を経由して外付け呼出対応モニタ５０と他の呼出対応カメラ３０ｂ、・・・とにそれぞれ伝送される。なお、呼出対応カメラ３０ａを除く他の呼出対応カメラ３０ｂ、・・・はそれぞれ、伝送されてきた映像信号Ｓ5が呼出対応アダプタ６０ｂ、・・・からの信号でないため、通常、この映像信号Ｓ5が無効な信号であると判断する。
【００４６】
外付け呼出対応モニタ５０は、カメラ／モニタラインＬ4を経由して伝送されてきた映像信号Ｓ5に付与されているカメラ番号「２００１」をもとに、映像の撮像元が呼出対応カメラ３０ａであることを検出し、この呼出対応カメラ３０ａにて撮像された映像、すなわち、呼出元のベッド子機１ａが病床に設置されている患者の映像を出画することができる。
【００４７】
なお、廊下灯／アダプタラインＬ6aを経由して伝送されてきた呼出信号Ｓ1に付与されている子機番号「０００１」及び呼出種別情報をもとに、プレート子機１１ａに着脱自在で接続されたベッド子機１ａが病床に設置されている患者からの通常のナースコール呼び出しがあることを検出した廊下灯２０ａが呼出報知を行う動作と、廊下灯／親機ラインＬ2を経由して伝送されてきた呼出信号Ｓ2に付与されている子機番号「０００１」、廊下灯番号「１００１」及び呼出種別情報をもとに、「Ａ号室」のプレート子機１１ａに着脱自在で接続されたベッド子機１ａが病床に設置されている患者からの通常のナースコール呼び出しがあることを検出したナースコール親機４０が呼出報知を行う動作とはそれぞれ、前述の第１の実施例における該当動作と同様であるため、説明は省略するものとする。
【００４８】
また、ナースコール親機４０にて行われた呼出報知及び外付け呼出対応モニタ５０に出画されている映像をもとに、通常のナースコール呼び出しがあることを、呼出元の患者の容体とともに詳細に確認したナースセンターに在室中の看護師が所定の応答操作を行うと、このナースコール親機４０の通話機能と、廊下灯／親機ラインＬ2、廊下灯２０ａ、廊下灯／アダプタラインＬ6a、呼出対応アダプタ６０ａ、子機／アダプタラインＬ5aを経由してプレート子機１１ａの通話機能との間の通話路が形成され、形成された通話路を経由して音声信号を送受信させることで通話が成立し、看護師にとっては患者の容体を確認しながらの通話が可能となる。
【００４９】
前述までの説明から明らかなように、本発明の第２の実施例によれば、プレート子機１１ａ、１２ａ、１３ａ、・・・、１１ｂ、１２ｂ、１３ｂ、・・・、・・・から廊下灯２０ａ、２０ｂ、・・・に伝送される呼出信号の有無を監視する呼出対応アダプタ６０ａ、６０ｂ、・・・の制御により、呼出元である被看護者、例えば、患者の映像を撮像するように、病室毎の複数の呼出対応カメラ３０ａ、３０ｂ、・・・のうち呼出元の病室に設置される当該カメラを選択してパン動作及びチルト動作させ、このカメラにて撮像された映像を外付け呼出対応モニタ５０に出画することができる。これにより、ナースセンターに在室中の看護師は、患者からの呼び出しがあることを、ナースコール親機４０での呼出報知のみならず外付け呼出対応モニタ５０に出画される映像をもとに当該患者の容体と併せて詳細に確認することができ、映像の視認性も高められる。また、既存の当該システムに映像の撮像機能が不備であった場合でも、呼出対応カメラ３０ａ、３０ｂ、・・・の追加が容易である。
【００５０】
また、本発明の第２の実施例によれば、呼出元である患者の映像を撮像するにあたって、病室毎の複数の呼出対応カメラ３０ａ、３０ｂ、・・・のうち呼出元の病室に設置される当該カメラを選択してパン動作及びチルト動作させたが、この動作に限定されるものではない。例えば、呼出対応アダプタ６０ａ、６０ｂ、・・・の記憶部６００に記憶される角度情報テーブルとして、パン角及びチルト角のうち何れか一方の角度情報が記憶されている場合には、呼出元の病室に設置される当該カメラを選択してパン動作又はチルト動作させることができる。
【００５１】
さらに、本発明の第２の実施例によれば、呼出元である患者の映像を撮像するにあたって、病室毎の複数の呼出対応カメラ３０ａ、３０ｂ、・・・のうち呼出元の病室に設置される当該カメラを選択してパン動作及び／又はチルト動作させるように、呼出対応アダプタ６０ａ、６０ｂ、・・・に記憶部６００及びカメラ駆動回路６０１を備える態様について説明したが、この態様に限定されるものではない。例えば、呼出対応アダプタ６０ａ、６０ｂ、・・・にカメラ駆動回路６０１のみを備え記憶部６００を不要とする態様によれば、呼出元の病室に設置される当該カメラを選択して駆動するのみでパン動作及び／又はチルト動作せずに、呼出元である患者の映像を撮像することもできる。
【００５２】
なお、本発明の第２の実施例において、「Ａ号室」、「Ｂ号室」、・・・のような病室等に設置される当該カメラが１台のみである場合には、前述の第１の実施例と同様、図４（ｂ）に示す角度情報テーブルを構成するカメラ番号「２００１、２００２、・・・」は不要となる。
【００５３】
次に、本発明の第３の実施例によるナースコールシステムについて、図面を参照して説明する。図３は、本発明の第３の実施例によるナースコールシステムの構成を示すシステム説明図である。なお、本発明の第３の実施例によるナースコールシステムの構成を説明するにあたり、前述の第１、第２の各実施例にてそれぞれ適用された各種の機器のうち、同一の機能を有する機器については同一の符号を付与して説明は省略するものとし、同一の接続についても同一の符号を付与して説明は省略するものとする。
【００５４】
図３に示すナースコールシステムは、病院、老人福祉施設等に設置されるものであり、ベッド子機１ａ、２ａ、３ａ、・・・、１ｂ、２ｂ、３ｂ、・・・、・・・と、プレート子機１１ａ、１２ａ、１３ａ、・・・、１１ｂ、１２ｂ、１３ｂ、・・・、・・・と、廊下灯２０ａ、２０ｂ、・・・と、呼出対応カメラ３０ａ、３０ｂ、・・・と、ナースコール親機４０と、外付け呼出対応モニタ５０とが設けられている。また、廊下灯２０ａ、２０ｂ、・・・、・・・には、各子機／廊下灯ラインＬ1a、Ｌ1b、・・・を経由してプレート子機１１ａ、１２a、１３a、・・・、１１ｂ、１２ｂ、１３ｂ、・・・、・・・がそれぞれ渡り配線接続されているとともに、廊下灯／親機ラインＬ2を経由してナースコール親機４０が接続され、さらには、廊下灯／カメララインＬ8a、Ｌ8b、・・・を経由して呼出対応カメラ３０ａ、３０ｂ、・・・がそれぞれ接続されている。
【００５５】
廊下灯２０ａ、２０ｂ、・・・は、それぞれ同様な構成で個別の廊下灯番号、例えば、「１００１、１００２、・・・」を有している。また、廊下灯２０ａ、２０ｂ、・・・は、「Ａ号室」、「Ｂ号室」、・・・のような病室等の廊下（廊下先）に設置され、前述の第１、第２の各実施例と同様、プレート子機１１ａ、１２ａ、１３ａ、・・・、１１ｂ、１２ｂ、１３ａ、・・・、・・・にて生成される呼出信号をもとにベッド子機１ａ、２ａ、３ａ、・・・、１ｂ、２ｂ、３ｂ、・・・、・・・を使用して呼出操作を行った患者からの呼び出しを呼出種別毎に報知するための機能（詳述せず。）を有するものであり、記憶部２００及びカメラ駆動回路２０１が備えられている。ここで、記憶部２００とは、呼出元のベッド子機１ａ、２ａ、３ａ、・・・、１ｂ、２ｂ、３ｂ、・・・、・・・に対応した自病室の呼出対応カメラ３０ａ、３０ｂ、・・・を選択し、パン動作及び／又はチルト動作させるための角度情報、ここでは、パン動作及びチルト動作させるための角度情報テーブルが記憶されるものである。また、カメラ駆動回路２０１とは、記憶部２００から読み出される呼出元のベッド子機１ａ、２ａ、３ａ、・・・、１ｂ、２ｂ、３ｂ、・・・、・・・に対応した自病室の呼出対応カメラ３０ａ、３０ｂ、・・・を駆動し、角度情報に応じてパン動作及びチルト動作させ、呼出元である患者の映像を外付け呼出対応モニタ５０に出画するためのものである。なお、記億部２００としては、例えば、ＲＡＭ、ＥＥＰＲＯＭ等の各種の記憶媒体が好適とされる。
【００５６】
また、本発明の第３の実施例において、ナースコール親機４０は、前述の第１の実施例にて適用された外部接続端子４００は不備とすることができる。また、外付け呼出対応モニタ５０についても、前述の第１の実施例にて適用された第１、第２の各記憶部５００、５０１及びカメラ駆動回路５０２はそれぞれ不備とすることができる。
【００５７】
このように構成された本発明の第３の実施例によるナースコールシステムにおいて、以下、具体的な動作について、図３及び図４（ｂ）をそれぞれ参照して説明する。なお、図４（ｂ）は、廊下灯２０ａ、２０ｂ、・・・の記憶部２００にそれぞれ記憶される角度情報テーブルの一例を示すテーブル構成図である。
【００５８】
図３に示すように、「Ａ号室」、「Ｂ号室」、・・・のような病室等の各病床に設置されるベッド子機１ａ、２ａ、３ａ、・・・、１ｂ、２ｂ、３ｂ、・・・、・・・のうち、ここでは、前述の第１、第２の各実施例と同様、「Ａ号室」のベッド子機１ａが病床に設置されている患者が、ナースコール親機４０が設置されているナースセンターに在室中の看護師を呼び出して通話を成立させるために、ベッド子機１ａを使用して呼出種別毎で異なる呼出操作、例えば、通常のナースコール呼び出しのための呼出操作を行うと、この操作を検出したプレート子機１１ａは、自プレート子機が有する子機番号「０００１」及び通常のナースコール呼び出しを示す呼出種別情報を付与した呼出信号Ｓ1を生成する。この呼出信号Ｓ1は、子機／廊下灯ラインＬ1aを経由して廊下灯２０ａと「Ａ号室」の他のプレート子機１２ａ、１３ａ、・・・とにそれぞれ伝送される。なお、プレート子機１１ａを除く「Ａ号室」の他のプレート子機１２ａ、１３ａ、・・・はそれぞれ、前述の第１の実施例と同様、伝送されてきた呼出信号Ｓ1が廊下灯２０ａからの信号でないため、通常、この呼出信号Ｓ1が無効な信号であると判断する。
【００５９】
廊下灯２０ａは、子機／廊下灯ラインＬ1aを経由して伝送されてきた呼出信号Ｓ1に付与されている子機番号「０００１」及び呼出種別情報をもとに、プレート子機１１ａに着脱自在で接続されたベッド子機１ａが病床に設置されている患者からの通常のナースコール呼び出しがあることを検出し、その旨の呼出報知を行うともに、呼出信号Ｓ1に自廊下灯の廊下灯番号「１００１」を付与した呼出信号Ｓ2を生成する。この呼出信号Ｓ2は、廊下灯２０ａから廊下灯ラインＬ2を経由してナースコール親機４０と他の廊下灯２０ｂ、・・・とにそれぞれ伝送される。なお、廊下灯２０ａを除く他の廊下灯２０ｂ、・・・はそれぞれ、前述の第１、第２の各実施例と同様、伝送されてきた呼出信号Ｓ2がナースコール親機４０からの信号でないため、通常、この呼出信号Ｓ2が無効な信号であると判断する。
【００６０】
また、廊下灯２０ａは、記憶部２００に記憶されている図４（ｂ）に示す角度情報テーブルを参照して、呼出信号Ｓ1に付与された子機番号「０００１」に対応して割り当てられているカメラ番号「２００１」を検出し、このカメラ番号「２００１」に対応して割り当てられている角度情報、すなわち、選択された呼出対応カメラ３０ａをパン動作及びチルト動作させるための角度情報を読み出す。
【００６１】
さらに、廊下灯２０ａのカメラ駆動回路２０１は、記憶部２００から読み出された角度情報を付与したカメラ駆動信号Ｓ7を生成する。このカメラ駆動信号Ｓ7は、廊下灯／カメララインＬ8aを経由して呼出対応カメラ３０ａに伝送される。
【００６２】
呼出対応カメラ３０ａは、廊下灯／カメララインＬ8aを経由して伝送されてきたカメラ駆動信号Ｓ7を検出する駆動し、このカメラ駆動信号Ｓ7に付与されている角度情報に対応した角度でパン動作及びチルト動作することにより、呼出元であるベッド子機１ａが病床に設置されている患者の映像を撮像することができる。この呼出対応カメラ３０ａにて撮像された映像は、前述の第１の実施例と同様、自カメラが有するカメラ番号「２００１」を付与した映像信号Ｓ5に信号処理された後、カメラ／モニタラインＬ4を経由して外付け呼出対応モニタ５０と他の呼出対応カメラ３０ｂ、・・・とにそれぞれ伝送される。なお、呼出対応カメラ３０ａを除く他の呼出対応カメラ３０ｂ、・・・はそれぞれ、伝送されてきた映像信号Ｓ5が廊下灯２０ｂ、・・・からの信号でないため、通常、この映像信号Ｓ5が無効な信号であると判断する。
【００６３】
外付け呼出対応モニタ５０は、カメラ／モニタラインＬ4を経由して伝送されてきた映像信号Ｓ5に付与されているカメラ番号「２００１」をもとに、映像の撮像元が呼出対応カメラ３０ａであることを検出し、この呼出対応カメラ３０ａにて撮像された映像、すなわち、呼出元のベッド子機１ａが病床に設置されている患者の映像を出画することができる。
【００６４】
なお、廊下灯／親機ラインＬ2を経由して伝送されてきた呼出信号Ｓ2に付与されている子機番号「０００１」、廊下灯番号「１００１」及び呼出種別情報をもとに、「Ａ号室」のプレート子機１１ａに着脱自在で接続されたベッド子機１ａが病床に設置されている患者からの通常のナースコール呼び出しがあることを検出したナースコール親機４０が呼出報知を行う動作とはそれぞれ、前述の第１の実施例における該当動作と同様であるため、説明は省略するものとする。
【００６５】
また、ナースコール親機４０にて行われた呼出報知及び外付け呼出対応モニタ５０に出画されている映像をもとに、通常のナースコール呼び出しがあることを、呼出元の患者の容体とともに詳細に確認したナースセンターに在室中の看護師が所定の応答操作を行うと、前述の第１の実施例と同様、このナースコール親機４０の通話機能と、廊下灯／親機ラインＬ2、廊下灯２０ａ、子機／廊下灯ラインＬ1aを経由してプレート子機１１ａの通話機能との間の通話路が形成され、形成された通話路を経由して音声信号を送受信させることで通話が成立し、看護師にとっては患者の容体を確認しながらの通話が可能となる。
【００６６】
前述までの説明から明らかなように、本発明の第３の実施例によれば、ベッド子機１ａ、２ａ、３ａ、・・・、１ｂ、２ｂ、３ｂ、・・・、・・・からの呼び出しを報知する廊下灯２０ａ、２０ｂ、・・・の制御により、呼出元である被看護者、例えば、患者の映像を撮像するように、病室毎の複数の呼出対応カメラ３０ａ、３０ｂ、・・・のうち呼出元の病室に設置される当該カメラを選択してパン動作及びチルト動作させ、このカメラにて撮像された映像を外付け呼出対応モニタ５０に出画することができる。これにより、ナースセンターに在室中の看護師は、患者からの呼び出しがあることを、ナースコール親機４０での呼出報知のみならず外付け呼出対応モニタ５０に出画される映像をもとに当該患者の容体と併せて詳細に確認することができ、映像の視認性も高められる。また、既存の当該システムに映像の撮像機能が不備であった場合でも、呼出対応カメラ３０ａ、３０ｂ、・・・の追加が容易である。
【００６７】
また、本発明の第３の実施例によれば、呼出元である患者の映像を撮像するにあたって、病室毎の複数の呼出対応カメラ３０ａ、３０ｂ、・・・のうち呼出元の病室に設置される当該カメラを選択してパン動作及びチルト動作させたが、この動作に限定されるものではない。例えば、廊下灯２０ａ、２０ｂ、・・・の記憶部２００に記憶される角度情報テーブルとして、パン角及びチルト角のうち何れか一方の角度情報が記憶されている場合には、呼出元の病室に設置される当該カメラを選択してパン動作又はチルト動作させることができる。
【００６８】
さらに、本発明の第３の実施例によれば、呼出元である患者の映像を撮像するにあたって、病室毎の複数の呼出対応カメラ３０ａ、３０ｂ、・・・のうち呼出元の病室に設置される当該カメラを選択してパン動作及び／又はチルト動作させるように、廊下灯２０ａ、２０ｂ、・・・に記憶部２００及びカメラ駆動回路２０１を備える態様について説明したが、この態様に限定されるものではない。例えば、廊下灯２０ａ、２０ｂ、・・・にカメラ駆動回路２０１のみを備え記憶部２００を不要とする態様によれば、呼出元の病室に設置される当該カメラを選択して駆動するのみでパン動作及び／又はチルト動作せずに、呼出元である患者の映像を撮像することもできる。
【００６９】
なお、本発明の第３の実施例において、「Ａ号室」、「Ｂ号室」、・・・のような病室等に設置される当該カメラが１台のみである場合には、前述の第１、第２の各実施例と同様、図４（ｂ）に示す角度情報テーブルを構成するカメラ番号「２００１、２００２、・・・」は不要となる。
【００７０】
また、本発明の第１乃至第３の各実施例によれば、ベッド子機１ａ、２ａ、３ａ、・・・、１ｂ、２ｂ、３ｂ、・・・、・・・からの呼び出しを確認した看護者が応答して通話を成立するための機器として、ナースセンターに設置されるナースコール親機４０のように当該親機の台数が１台である態様について説明したが、この態様に限定されるものではない。例えば、１階、２階、・・・のような階毎の複数のナースセンターにそれぞれナースコール親機４０（４０、４０、・・・）を設置する態様や、病院や老人福祉施設等を巡回中の看護師等により携行される複数の携帯端末を設ける態様も好適とされる。
【００７１】
ここで、複数のナースコール親機４０（４０、４０、・・・）及び／又は携帯端末を適用するにあたっては、通常、廊下灯／親機ラインＬ2の伝送路上に制御機を設ける必要がある。この制御機を適用するにあたっては、ナースコール親機４０（４０、４０、・・・）が有する制御機能の一部を当該制御機に備えることもできる。また、複数のナースコール親機４０（４０、４０、・・・）を適用するにあたっては、その設置台数に応じて、外付け呼出対応モニタ５０を増設することができる。さらに、複数の携帯端末を適用するにあたっては、外付け呼出対応モニタ５０の設置場所をナースセンターのみならず病院や老人福祉施設等の共用部に設けることもできる。
【００７２】
また、本発明の第１乃至第３の各実施例によれば、ナースコール親機４０の通話機能との間で音声信号を送受信して患者が通話を成立させる機器として、病室毎のベッドサイドに設置されるプレート子機１１ａ、１２ａ、１３ａ、・・・、１１ｂ、１２ｂ、１３ｂ、・・・、・・・を適用したが、この態様に限定されるものではない。例えば、病室毎の各病床に設置されるベッド子機１ａ、２ａ、３ａ、・・・、１ｂ、２ｂ、３ｂ、・・・、・・・に、当該プレート子機が有する通話機能と同様な通話機能を備えることもできる。
【００７３】
さらに、本発明の第１乃至第３の各実施例において、ベッド子機１ａ、２ａ、３ａ、・・・、１ｂ、２ｂ、３ｂ、・・・、・・・からの呼び出しを確認した看護者が応答して通話を成立するためのナースコール親機４０には、患者の情報、例えば、入院履歴、看護記録等の看護情報を保存するための破線で示すサーバを接続することもできる。この態様によれば、ベッド子機１ａ、２ａ、３ａ、・・・、１ｂ、２ｂ、３ｂ、・・・、・・・からの呼び出しを呼出種別毎に報知するにあたって、サーバから読み出した詳細な患者情報も併せて報知することができる。なお、前述の制御機を適用するにあたっては、このサーバを制御機に接続することもできる。
【００７４】
本発明のナースコールシステムにおいては、特定の実施の形態をもって説明してきたが、この形態に限定されるものでなく、本発明の効果を奏する限り、これまで知られた如何なる構成のナースコールシステムであっても採用できるということはいうまでもないことである。
【図面の簡単な説明】
【００７５】
【図１】図１は、本発明の第１の実施例によるナースコールシステムの構成を示すシステム説明図である。
【図２】図２は、本発明の第２の実施例によるナースコールシステムの構成を示すシステム説明図である。
【図３】図３は、本発明の第３の実施例によるナースコールシステムの構成を示すシステム説明図である。
【図４】図４（ａ）は、本発明の第１の実施例において、記憶部（第１の記憶部）に記憶されるカメラ選択テーブルの一例を示すテーブル構成図である。図４（ｂ）は、本発明の第１乃至第３の各実施例において、記憶部に記憶される角度情報テーブルの一例を示すテーブル構成図である。
【符号の説明】
【００７６】
１ａ、２ａ、３ａ、・・・、１ｂ、２ｂ、３ｂ、・・・、・・・ ……ベッド子機
１１ａ、１２ａ、１３ａ、・・・、１１ｂ、１２ｂ、１３ｂ、・・・、・・・ ……プレート子機
２０ａ、２０ｂ、・・・ ……廊下灯
２００……記憶部
２０１……カメラ駆動回路
３０ａ、３０ｂ、・・・ ……呼出対応カメラ
４０……ナースコール親機
５０……外付け呼出対応モニタ
５００……第１の記憶部（記憶部）
５０１……第２の記憶部（記憶部）
５０２……カメラ駆動回路
６０ａ、６０ｂ、・・・ ……呼出対応アダプタ
６００……記憶部
６０１……カメラ駆動回路
【図１】
2008079800.tif 000003
【図２】
2008079800.tif 000004
【図３】
2008079800.tif 000005
【図４】
2008079800.tif 000006